(57)【要約】【課題】ネジ式の手動ジャッキでありながら大きな許容使用圧力を備え、使用中のネジ部分の焼き付き等による回動不能の発生を抑制することができるジャッキを提供する。【解決手段】少なくとも左右一対の回動自在なネジ軸３を平行な姿勢で内蔵するジャッキ本体１と、ネジ軸３に螺合するネジ孔４を備えるとともにジャッキ本体１に摺動自在に嵌合された押圧体２と、各ネジ軸３に同軸的に取り付けられたウォームホイール５と、これらウォームホイール５の間で当該ウォームホイール５の軸心と直交する方向に配置されてそれぞれのウォームホイール５に噛合うウォーム６と、ウォーム６に直結してジャッキ本体１の外部に形成された回動操作部７とからなり、左右のネジ軸３の一方は他方に対して逆ネジで形成され、ウォームホイール５のウォーム６対する回転比が小さくなるように形成される構成とする。【選択図】図２
2018002467.tif 000002
【特許請求の範囲】
【請求項１】
少なくとも左右一対の回動自在なネジ軸を平行な姿勢で内蔵するジャッキ本体と、
前記ネジ軸に螺合するネジ孔を備えるとともに前記ジャッキ本体に摺動自在に嵌合された押圧体と、
前記各ネジ軸に同軸的に取り付けられたウォームホイールと、
これらウォームホイールの間で当該ウォームホイールの軸心と直交する方向に配置されてそれぞれのウォームホイールに噛合うウォームと、
前記ウォームに直結して前記ジャッキ本体の外部に形成された回動操作部とからなり、
前記左右のネジ軸の一方は他方に対して逆ネジで形成され、
前記ウォームホイールの前記ウォームに対する回転比が小さくなるように形成されているネジ式手動ジャッキ。
【請求項２】
前記ネジ軸が上下に一対ずつ、合計４本で形成されている請求項１に記載のネジ式手動ジャッキ。
【請求項３】
前記ネジ軸の直径が１０ｍｍ〜１００ｍｍであり、前記ウォームホイールの前記ウォームに対する回転比が１／２０〜１／３００であり、前記押圧体の前記ジャッキ本体に対する伸縮移動量が５ｃｍ〜１００ｃｍの範囲で形成されている請求項１または２に記載のネジ式手動ジャッキ。
【請求項４】
前記ジャッキ本体に前記ネジ軸を隠す筒状の覆い部が設けられ、前記押圧体に前記覆い部の外周面にスライド可能に套嵌する筒状の外部カバー部が設けられている請求項１〜３のいずれかに記載のネジ式手動ジャッキ。
【発明の詳細な説明】
【技術分野】
【０００１】
本発明は、土木建築工事において、掘削した場所の周囲土壁の崩壊を防止するための山留工法やコンクリート型枠の支保工等に用いられる、所謂「キリンジャッキ」と呼ばれているネジ式手動ジャッキに関する。
【背景技術】
【０００２】
土木建築工事における山留工法（土留工法ともいう）では、図４に示すように、矢板１０、１０を地中に打ち込んで矢板１０、１０に囲まれた内部の土を除去後、相対向する矢板１０、１０にそれぞれ腹起材１１、１１を取り付け、これら相対する腹起材１１、１１の間を水平な切梁材１２で突っ張るように支持させて矢板１０を保持する。この際、切梁材１２を左右に分割してその間に「キリンジャッキ」と称されるネジ式手動ジャッキ１３を介在させ、このジャッキ１３で切梁材１２、１２の突っ張り具合を調整するようにしている。このようなネジ式手動ジャッキは、例えば特許文献１の図１１等に開示されている。
【０００３】
図５は、一般的なネジ式手動ジャッキ１３（具体的には両ネジ式のキリンジャッキ）を示すものである。このジャッキ１３は、中央に回動操作桿１４を有する回動部１５の両側にネジ方向を逆にしたネジ軸１６、１６を設け、これら両側のネジ軸１６に突っ張り部材１７のネジ孔１８を螺合させて形成されており、ネジ軸１６を回動操作桿１４で回動させることによりジャッキ１３の全長が伸縮して長さが調整できるように形成されている。
【先行技術文献】
【特許文献】
【０００４】
【特許文献１】特開平８−１２０６７６号公報
【発明の概要】
【発明が解決しようとする課題】
【０００５】
このネジ式手動ジャッキは、組付時におけるセッティングや切梁材の長さの調整に関しては、構造が簡易であるため容易に行うことができるが、一旦工事が進行して周囲地盤の土圧が作用するようになると、矢板に加わる背面土圧の大きさがネジ式手動ジャッキの許容使用圧力（一般的に最大約５０ｔ）より遥かに大きくなるため、ネジ部分の過荷重や焼き付きによって回転操作桿によるネジ軸の回動が困難になり、長さの調整が難しくなるという問題点があった。
【０００６】
一方、上記ネジ式手動ジャッキよりも遥かに大きな許容使用圧力（例えば最大約３００ｔ）を有する油圧式のジャッキを切梁材間に使用することも知られている。この油圧式ジャッキは、使用圧力が大きいことから矢板にかかる大きな背面圧力に対して十分対応できる利点を有する反面、製品価格が高く、設定時の長さの微調整操作も煩雑で施工に時間がかかる等、矢板を数多く使用する山留工法では問題があった。
【０００７】
そこで本発明は、ネジ式の手動ジャッキでありながら大きな許容使用圧力を備え、使用中のネジ部分の焼き付き等による回動不能の発生を抑制することができるジャッキを提供することを目的とする。
【課題を解決するための手段】
【０００８】
上記課題を解決するために、本発明では次のような技術的手段を講じた。すなわち本発明のネジ式手動ジャッキは、少なくとも左右一対の回動自在なネジ軸を平行な姿勢で内蔵するジャッキ本体と、前記ネジ軸に螺合するネジ孔を備えるとともに前記ジャッキ本体に摺動自在に嵌合された押圧体と、前記各ネジ軸に同軸的に取り付けられたウォームホイールと、これらウォームホイールの間で当該ウォームホイールの軸心と直交する方向に配置されてそれぞれのウォームホイールに噛合うウォームと、前記ウォームに直結して前記ジャッキ本体の外部に形成された回動操作部とからなり、前記左右のネジ軸の一方は他方に対して逆ネジで形成され、前記ウォームホイールの前記ウォームに対する回転比が小さくなるように形成されている構成とした。
ここで、前記ネジ軸が上下に一対ずつ、合計４本で形成されている構成とするのがよい。
また、前記ネジ軸の直径が１０ｍｍ〜１００ｍｍであり、前記ウォームホイールの前記ウォームに対する回転比が１／２０〜１／３００であり、前記押圧体の前記ジャッキ本体に対する伸縮移動量が５ｃｍ〜１００ｃｍの範囲で形成されている構成とするのがよい。
【発明の効果】
【０００９】
本発明は上記のごとく構成されているので、回動操作部をレンチ等の回動工具で回動させることにより、ウォームおよびウォームホイールを介して左右のネジ軸が回動して押圧体がジャッキ本体に対して伸縮移動し、長さを調整することができる。この際、本発明では、ウォームのウォームホイールに対する回転比が小さく形成され、かつ、ジャッキにかかる荷重は左右複数のネジ軸に分散されるので、ジャッキにかかる荷重が増加しても、軽い力で容易に回動操作部を回してネジ軸を回動させて大きな許容使用圧力を得ることができる。これにより、ネジ部分への過荷重による焼き付き等の発生を抑制して操作不能になる不具合を防ぐことができる。また、ネジ式の機構であるため、大きな許容使用圧力を有するものでありながら油圧式に比べて安価に提供することができるといった効果がある。
【００１０】
本発明において、前記ジャッキ本体に前記ネジ軸を隠す筒状の覆い部が設けられ、前記押圧体に前記覆い部の外周面にスライド可能に套嵌する筒状の外部カバー部が設けられている構成とするのがよい。
これにより、ネジ軸を含む内部機構が覆い隠されて土埃や塵等の侵入を防止することができるとともに、シンプルできれいな外装となって意匠観を高めることができる。
【図面の簡単な説明】
【００１１】
【図１】本発明に係るジャッキを示す平面図。
【図２】図１におけるＢ−Ｂ線に沿った拡大断面図。
【図３】図１に示すジャッキの一部断面分解平面図。
【図４】従来のネジ式ジャッキの使用状態の一例を示す説明図。
【図５】従来のネジ式ジャッキを示す正面図。
【発明を実施するための形態】
【００１２】
以下において、本発明の詳細をその実施の形態を示す図１〜３に基づいて説明する。
本実施例のネジ式手動ジャッキＡは、互いに平行な姿勢で間隔をあけて配置された左右一対のネジ軸３を上下二段、合計４本を有するジャッキ本体１と、それぞれのネジ軸３に螺合するネジ孔４を備えた押圧体２を備えている。それぞれ対をなす左右のネジ軸３、３の一方は他方のネジ軸３に対して逆ネジで形成され、各ネジ軸３はジャッキ本体１に軸受部材（図示略）を介して回動可能に保持されている。
【００１３】
また、ジャッキ本体１の内部で、各ネジ軸３にそれぞれウォームホイール５が固定用キー（図示略）等を介して同軸的に固定され、これら左右のウォームホイール５の間で当該ウォームホイール５の軸心と直交する方向に伸びる一本のウォーム６が各ウォームホイール５と噛合って設けられている。さらに、ウォーム６と直結する回動操作部７がジャッキ本体１の上下面に突出して形成されており、この上下いずれかの回動操作部７をレンチ等の回動工具で回動することにより、ウォーム６とウォームホイール５を介して各ネジ軸３が回動し、これに螺合する押圧体２がジャッキ本体１に対して伸縮移動するようになっている。
【００１４】
押圧体２が伸びる方向に移動したとき、ネジ軸３が外部に露出しないように、ジャッキ本体１にはネジ軸３を隠す筒状の覆い部１ａが設けられており、一方、押圧体２にはこの覆い部１ａの外周面にスライド可能に套嵌する筒状の外部カバー部２ａが設けられている。また、ジャッキ本体１並びに押圧体２のジャッキ長軸方向に直交する外向きの押圧面１ｂ、２ｂは平坦面で形成されていて、押し付けるべき切梁材等の対象物に面接触で安定して圧接できるようにしてある。
【００１５】
上記のネジ式手動ジャッキＡにおいて、各ネジ軸３の直径が１０ｍｍ〜１００ｍｍ、ウォームホイール５とウォーム６との回転比が１／２０〜１／３００、押圧体２のジャッキ本体１に対する伸縮移動量が５ｃｍ〜１００ｃｍの範囲で選択することができる。そして、本実施例では好ましい一例として、ネジ軸３の直径を３２ｍｍ、ウォームホイール５とウォーム６との回転比を１／６０、押圧体２のジャッキ本体１に対する伸縮移動量を１０ｃｍで形成した結果、最大１００ｔの許容使用圧力を得ることができた。この場合、ジャッキ本体１並びに押圧体２を含む各部材も上記の許容使用圧力に耐え得る強度で形成することは勿論である。
【００１６】
上記のネジ式手動ジャッキＡは、例えば図４の使用態様において、従来のネジ式手動ジャッキ１３に代替して使用される。この使用態様において、本発明に係るネジ式手動ジャッキＡでは、回動操作部７をレンチ等の回動工具で回動させることにより、ウォーム６とウォームホイール５を介して４本のネジ軸３が回動し、これに螺合する押圧体２がジャッキ本体１に対して伸縮移動することにより、長さを調整することができる。この場合、ウォームホイール５のウォーム６に対する回転比が小さく形成され、かつ、ジャッキＡにかかる荷重は４本のネジ軸３に分散されるので、矢板１０に加わる背面土圧が大きくなってジャッキＡにかかる荷重が増加しても、回動操作部７により軽い力でネジ軸３を回動させることが可能であって大きな許容使用圧力を容易に得ることができる。これにより、ネジ部分への過荷重による焼き付き等の発生を抑制して操作不能になる不具合を防ぐことができる。また、ネジ式の機構であるため、大きな許容使用圧力を有するものでありながら油圧式に比べて安価に提供することができる。
【００１７】
以上、本発明の代表的な実施例について説明したが、本発明は必ずしも上記の実施形態に特定されるものではない。例えば、上記実施例では、ネジ軸３を上下一対ずつ、合計４本設けたが、左右一対の２本で形成することもできる。また、本発明のネジ式手動ジャッキＡは、上記した山留工法における切梁材の調整の他に、土木建築工事に際し必要とされる部分の支持や、重量物の持ち上げ等に使用することができる。
その他本発明ではその目的を達成し、請求の範囲を逸脱しない範囲内で適宜修正、変更することが可能である。
【産業上の利用可能性】
【００１８】
本発明のネジ式手動ジャッキは、土木建築工事において、山留工法を施工する際の切梁材の支保工等に利用することができる。
【符号の説明】
【００１９】
Ａ  ネジ式手動ジャッキ
１  ジャッキ本体
２  押圧体
３  ネジ軸
４  ネジ孔
５  ウォームホイール
６  ウォーム
７  回動操作部
【図１】
2018002467.tif 000003
【図２】
2018002467.tif 000004
【図３】
2018002467.tif 000005
【図４】
2018002467.tif 000006
【図５】
2018002467.tif 000007